(57)【特許請求の範囲】
【請求項１】
竿先側に位置する中空状の小径竿体とその小径竿体に連結固定される竿元側に位置する中空状の大径竿体とからなり、
前記大径竿体には、前記大径竿体の先端部における外周面に、竿先側に向かって縮径する先細り傾斜部を形成するとともに、前記先細り傾斜部の円周方向の一部に、釣り糸ガイドの後脚部を載置する切欠き溝状の載置面が形成され、
前記先細り傾斜部は、前記大径竿体の中間部における筒状体部分の傾斜面に比べて急傾斜面に形成されているものである穂先竿。
【請求項２】
前記小径竿体には、竿後端部の外周面に、竿尻端側に向けて縮径する傾斜面が形成され、
前記大径竿体には、先端部の内周面に、前記傾斜面を密着保持するように竿尻端側に向けて縮径する内側傾斜面が形成されている
ことを特徴とする請求項１に記載の穂先竿。
【請求項３】
前記小径竿体には、外周面に前記釣り糸ガイドの前脚部を載置するための前取付座面が形成されている
ことを特徴とする請求項２に記載の穂先竿。
【発明の詳細な説明】
【技術分野】
【０００１】
本発明は、竿先側に位置する小径竿体と竿尻側に位置する大径竿体とを連結固定して、ワンピースロッドとして構成される穂先竿に関する。
【背景技術】
【０００２】
穂先竿としては、中実棒状の小径竿体とその小径竿体を連結固定する中空状の大径竿体とからなるものがある（特許文献１参照）。
【０００３】
【特許文献１】特許第３６１３４３８号（公報段落番号〔０００６〕、図１〜図３）
【発明の開示】
【発明が解決しようとする課題】
【０００４】
上記したように、中実棒状の小径竿体を採用するのは、魚が掛かった場合の反応の良さと軽量化とを両立させるものである。しかし、中空棒状では先端側が重くなる傾向にあり、その傾向を回避する為に軽量化すべく径を細くすると柔らかくなり過ぎるといった問題があり、調整が難しい問題があった。また、中実棒状部材は製作コストを高騰させる面があり、採用し難い面があった。
【０００５】
本発明の目的は、中実棒状の穂先竿用の小径竿体が有する上記した欠点を解消し、設計や量産の困難性を緩和でき、かつ、十分な強度を確保できる穂先竿を提供する点にある。
【課題を解決するための手段】
【０００６】
〔構成〕
請求項１に係る発明の特徴構成は、竿先側に位置する中空状の小径竿体（１）とその小径竿体に連結固定される竿元側に位置する中空状の大径竿体とからなり、前記大径竿体には、前記大径竿体の先端部における外周面に、竿先側に向かって縮径する先細り傾斜部を形成するとともに、前記先細り傾斜部の円周方向の一部に、釣り糸ガイドの後脚部を載置する切欠溝状の載置面が形成されている穂先竿である点にあり、その作用効果は次の通りである。
【０００７】
前記大径竿体の先端部における外周面に竿先側に向かって縮径する先細り傾斜部を形成することによって、大径側から小径側に向けて徐々に縮径させることができるので、断面変化を穏やかなものにでき、これによって応力集中を緩和できる。
しかも、先細り傾斜部に釣り糸ガイドの脚部を載置する載置面を形成してあるので、先細り傾斜部の傾斜面を、脚部を載置する面とする必要がなく、脚部の載置形状に沿った専用の面に形成することができる。
【０００９】
請求項２に係る発明の特徴構成は、前記小径竿体には、竿後端部の外周面に、竿尻端側に向けて縮径する傾斜面が形成され、前記大径竿体には、先端部の内周面に、前記傾斜面を密着保持するように竿尻端側に向けて縮径する内側傾斜面が形成されていることを特徴とする請求項１に記載の穂先竿である点にある。
【００１１】
〔構成〕
請求項３に係る発明の特徴構成は、前記小径竿体には、外周面に前記釣り糸ガイドの前脚部を載置するための前取付座面（１Ｃ）が形成されていることを特徴とする請求項２に記載の穂先竿である点にある。
【発明を実施するための最良の形態】
【００１３】
〔第１実施形態〕
並継式または振出式の釣り竿における穂先竿Ａについて説明する。図１に示すように、穂先竿Ａは、中空状の小径竿体１とその小径竿体１に連結固定される中空状の大径竿体２とを一体連結固定して、いわゆるワンピースロッドに構成されている。小径竿体１の軸線長は、大径竿体２の軸線長の半分の長さに裁断されている。また、この穂先竿Ａにおいては、先調子に構成するために、小径竿体１と大径竿体２との外径差は大きなものになる。ここでは、外付けの釣り糸ガイド３を備えたもので説明する。
【００１４】
中空状の小径竿体１について説明する。図１及び図２に示すように、小径竿体１は、竿の軸線Ｘ方向に沿って徐々に大径化する筒状体のものに形成されるとともに、竿先端にトップガイド３Ａと中間ガイド３Ｂを取付け、竿尻端を開放端に形成されている。
【００１５】
中空状の大径竿体２について説明する。図１及び図２に示すように、大径竿体２も、竿の軸線Ｘ方向に沿って徐々に大径化する筒状体のものに形成されるとともに、竿先端に段差部Ｂを形成し、段差部Ｂには、壁面２ａより竿先側の小径周面に中間ガイド３Ｂの後脚部３ｂを支持する取付座面２Ａを形成してある。
【００１６】
小径竿体１と大径竿体２の一体連結構造は次ぎのようになっている。小径竿体１の竿尻端を大径竿体２の竿先端に挿入し、大径竿体２に形成した壁面２ａの形成位置より奥側に達する位置まで挿入する。小径竿体１の竿尻端の外周面と大径竿体２の竿先端の内周面とを接着剤によって固定する。
【００１７】
小径竿体１と大径竿体２とを接着固定した状態で、大径竿体２の竿先端の外周面と小径竿体１の対応する外周面との間には段差が形成されるところから、その段差部分による応力集中を緩和すべく、その段差部位には、エポキシ等の樹脂塗料を塗布して、その段差解消部４を形成し、中間ガイド３Ｂと竿体等との固定構造を強化するようにしてある。段差解消部４の表面は、大径竿体２の竿先端の外周面から小径竿体１の外周面にかけて徐々に縮径するように傾斜面４Ａに形成してある。
【００１８】
小径竿体１と大径竿体２とを接着固定した状態で、取付座面２Ａに中間ガイド３Ｂの後脚部３ｂを載せ付けて、締付糸ａによって固定する。ここで使用される糸ａは無撚綿糸である。締付糸ａの巻き付け方は、密巻きと称するもので、締付糸ａを螺旋状に巻き付けて行く過程で軸線方向において糸同士が隣接するように巻き付けていく。巻き付けた締付糸ａの外周面を覆うように、樹脂塗料を施して、巻き付け状態を保護する構成を採っている。
【００１９】
〔第２実施形態〕
第２実施形態においては、小径竿体１の構成は同一であるが、大径竿体２の構成が異なるので、大径竿体２のみについて説明する。
図３に示すように、大径竿体２の竿先端部の外周面部分２Ｂは、竿の軸線Ｘ方向に沿って大径化する筒状体のものに形成されるが、大径竿体２の中間部における筒状体部分２Ｄの傾斜に比べて急傾斜面に形成されている。そして、大径竿体２の竿先端部の内外周面は、竿先端に向けて徐々に近接するものに形成され、最終的に竿先端位置で、その竿先端位置の厚みを略零に近い薄さに仕上処理する。この構造が、請求項３に記載した、大径竿体２の先端部における外周面に竿先側に向かって縮径する先細り傾斜部を形成する構成である。
【００２０】
上記のように、大径竿体２の竿先端部における厚みを極薄いものにしてある。そうすると、図３（ロ）に示すように、小径竿体１と大径竿体２とを連結した場合に、大径竿体２の竿先端が、その大径竿体２の竿先端部に挿入された小径竿体１の外周面に段差なく繋がり、段差が形成されることによる応力集中等を緩和できることとなる。
【００２１】
大径竿体２の竿先端部の外周面部分２Ｂには、竿軸線Ｘ方向に沿った切欠き溝を形成して、前記した中間ガイド３Ｂの後脚部３ｂを支持する取付座面２Ａを形成してある。
取付座面２Ａとしては、図３（イ）に示すように、第１実施形態で示したような全周に亘る円弧面ではなく、中間ガイド３Ｂの後脚部３ｂの幅より僅かに大きな円周方向幅を維持できるものであればよい。
このように、中間ガイド３Ｂの後脚部３ｂを載置する支持面を切欠き溝状態に形成することによって、後脚部３ｂが円周方向に位置ズレすることが少なく、位置決め精度を高めることができる。
【００２２】
〔第３実施形態〕
中空状の小径竿体１について説明する。図４（イ）（ロ）に示すように、小径竿体１は、竿の軸線Ｘ方向に沿って徐々に大径化する筒状体のものに形成される点は第１、第２実施形態と同様であるが、この第３実施形態においては、竿後端部において、竿尻端の開口部に向けて、外周面径を竿尻端側ほど縮径する傾斜面１Ｂを形成してある。
【００２３】
中空状の大径竿体２について説明する。図４（イ）（ロ）に示すように、大径竿体２の竿先端部の外周面部分２Ｂを、竿の軸線Ｘ方向に沿って竿先端側ほど小径化する筒状体のものに形成する。この竿先端部の外周面部分２Ｂの傾斜度は、大径竿体２の中間部における筒状体部分２Ｄの傾斜度より大きくしてある。
この構造が、請求項３に記載した、大径竿体２の先端部における外周面に竿先側に向かって縮径する先細り傾斜部を形成する構成である。
大径竿体２の先端部の内周面には、竿尻端側に向けて縮径する内側傾斜面２Ｅが形成してあり、小径竿体１の傾斜面1Ｂを密着保持するように構成してある。
【００２４】
図４（イ）（ロ）に示すように、竿先端部の外周面部分２Ｂの円周方向の一部分には、第２実施形態で示した中間ガイド３Ｂの後脚部３ｂを載置する為の後取付座面２Ａを形成してある。一方、小径竿体１の外周面には、中間ガイド３Ｂの前脚部３ａを載置する為の前取付座面１Ｃを形成してある。
このように、小径竿体１の竿尻端部と大径竿体２の竿先端部との合わせ面に、夫々、傾斜面１Ｂと傾斜面２Ｅとを形成しているので、合わせ面での肉厚が大きくならず、剛性の変化を抑えることができる。
【００２５】
〔別の実施形態〕
（１）  第１実施形態に対応する別実施形態について説明する。
図５に示すように、小径竿体１の竿尻端を大径竿体２の竿先端に挿入し、大径竿体２に形成した段差部Ｂの形成位置より奥側に達する位置まで挿入する。小径竿体１の竿尻端の外周面と大径竿体２の竿先端の内周面とを接着剤によって固定する。
【００２６】
小径竿体１と大径竿体２とを接着固定した状態で、大径竿体２の竿先端の外周面と小径竿体１の対応する外周面との間には外径段差部分が形成されるところから、その外径段差部分による応力集中を緩和すべく、その外径段差部位には、エポキシ等の樹脂塗料を厚く塗布して、その段差を解消する段差解消部４を形成し、中間ガイド３Ｂと竿体等との固定構造を強化するようにしてある。
段差解消部４を構成する樹脂塗料の塗布範囲は、図５に示すように、中間ガイド３Ｂの前脚部３ａの載置位置より更に竿先側まで施すこととしてあり、この竿先側から大径竿体２の竿先端に達する位置までである。
【００２７】
次に、この段差部分に塗布された樹脂塗料の表面を研磨した後に研磨した樹脂塗料の表面に締付糸ａを巻き付ける。締付糸ａを巻き付ける範囲は、樹脂塗料を施した部分を越えて小径竿体１の外周面から段差部Ｂの壁面２ａに達する位置までのものとする。ここで使用される締付糸ａとしては、前記した無撚綿糸であり、その巻き付け方も、前記したと同様に密巻きと称するもので、螺旋状に巻き付けて行く。巻き付け量は２往復半とする。そして、巻き付けた締付糸ａの外周面を覆うように、刷毛塗によって更に樹脂塗料を施して、巻き付け状態を保護する。
【００２８】
樹脂塗料で固めた表面におけるガイド取付部位の部分に対して研磨加工を施して、平坦化し、さらに、刷毛塗によって樹脂塗料を施して中間ガイド３Ｂの取付座面２Ａを形成する。この取付座面２Ａに中間ガイド３Ｂの前脚部３ａ，後脚部３ｂを載せ付けて、前記した締付糸ａによって固定する。第１実施形態では、段差部Ｂにおける壁面２ａの竿先側に形成した小径周面自体を取付座面としたが、ここでは、小径周面を覆う締付糸ａを更に覆っている樹脂塗料を研磨して加工した平坦面を取付座面２Ａとする。巻き付けた締付糸ａの外周面を覆うように、樹脂塗料を施して、巻き付け状態を保護する構成を採っている。
（２） 釣り糸ガイド３としては、取り付け用の脚部が一本３ａ、３ｂだけであるものでもよい。
（３） 樹脂塗料を施して形成する段差解消部４は特になくてもよい。
【図面の簡単な説明】
【００２９】
【図１】穂先竿を構成する中空状の小径竿体と中空状の大径竿体とを連結した状態を示す側面図
【図２】第１実施形態を示し、（イ）は小径竿体と大径竿体とを連結する前の状態を示す縦断側面図、（ロ）は小径竿体と大径竿体とを連結し、釣り糸ガイドを取り付けた状態を示す縦断側面図
【図３】第２実施形態を示し、（イ）は小径竿体と大径竿体とを連結し釣り糸ガイドを取付ける前の状態を示す平面図、（ロ）は小径竿体と大径竿体とを連結し、釣り糸ガイドを取り付けた状態を示す縦断側面図、
【図４】第３実施形態を示し、（イ）は小径竿体と大径竿体とを連結する前の状態を示す縦断側面図、（ロ）は小径竿体と大径竿体とを連結し、釣り糸ガイドを取り付けた状態を示す縦断側面図
【図５】第１実施形態に対応する別実施形態を示し、段差解消部を釣り糸ガイドの前脚載置位置より更に竿先側まで施す状態を示す縦断側面図
【符号の説明】
【００３０】
１            小径竿体
１Ａ          外周面
２            大径竿体
２Ａ          取付座面
４            段差解消部
Ｂ            段差部
【図１】
0004836182.tif 000002
【図２】
0004836182.tif 000003
【図３】
0004836182.tif 000004
【図４】
0004836182.tif 000005
【図５】
0004836182.tif 000006